【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
重量平均分子量が５０００〜３５０００である低分子量脂肪族ポリエステルと、重量平均分子量が１２００００〜１００００００である高分子量脂肪族ポリエステルと、含有量０．００１〜１０重量％である結晶化促進剤とを含有し、且つ、前記低分子量脂肪族ポリエステルと前記高分子量脂肪族ポリエステルとの配合比率（重量比）が１０：９０〜９０：１０であることを特徴とする脂肪族ポリエステル組成物。
【請求項２】
前記低分子量脂肪族ポリエステルと前記高分子量脂肪族ポリエステルとの配合比率（重量比）が２０：８０〜８０：２０であることを特徴とする請求項１記載の脂肪族ポリエステル組成物。
【請求項３】
前記高分子量脂肪族ポリエステルの重量平均分子量が２０００００〜８０００００であることを特徴とする請求項１又は２記載の脂肪族ポリエステル組成物。
【請求項４】
前記低分子量脂肪族ポリエステルが低分子量ポリＤ乳酸であり、且つ、前記高分子量脂肪族ポリエステルが高分子量ポリＬ乳酸であることを特徴とする請求項１〜３のうちのいずれか一項に記載の脂肪族ポリエステル組成物。
【請求項５】
前記低分子量脂肪族ポリエステルが低分子量ポリＬ乳酸であり、且つ、前記高分子量脂肪族ポリエステルが高分子量ポリＤ乳酸であることを特徴とする請求項１〜３のうちのいずれか一項に記載の脂肪族ポリエステル組成物。
【請求項６】
前記ポリＬ乳酸及び前記ポリＤ乳酸の含有量が光学純度８５ｍｏｌ％以上であることを特徴とする請求項４又は５記載の脂肪族ポリエステル組成物。
【請求項７】
前記結晶化促進剤がアミド基を有する低分子化合物、有機オニウム塩で有機化された層状粘土鉱物、タルク、有機酸金属塩、カルボン酸金属塩、リン酸金属塩、ホスホン酸金属塩及びスルホン酸金属塩からなる群から選択される少なくとも一つの化合物であることを特徴とする請求項１〜６のうちのいずれか一項に記載の脂肪族ポリエステル組成物。
【請求項８】
前記結晶化促進剤が脂肪族カルボン酸アミド、芳香族カルボン酸アミド及びヒドロキシアミドからなる群から選択される少なくとも一つの化合物であることを特徴とする請求項１〜６のうちのいずれか一項に記載の脂肪族ポリエステル組成物。
【請求項９】
前記結晶化促進剤がオキサミド誘導体、イソシアヌル酸誘導体、芳香族尿素化合物及び二塩基酸ビス（安息香酸ヒドラジド）化合物からなる群から選択される少なくとも一つの化合物であることを特徴とする請求項１〜６のうちのいずれか一項に記載の脂肪族ポリエステル組成物。
【請求項１０】
エラストマーを更に含有することを特徴とする請求項１〜９のうちのいずれか一項に記載の脂肪族ポリエステル組成物。
【請求項１１】
前記エラストマーが、脂肪族ポリエステルエラストマー、ポリオレフィン系エラストマー、アクリル系エラストマー、エチレン−グリシジル（メタ）アクリレート共重合体、エチレン−アクリル酸アルキルエステル共重合体、酸変性エチレン−プロピレン共重合体、ジエンゴム、ジエンとビニル単量体との共重合体、ポリイソブチレン、イソブチレンとブタジエン又はイソプレンとの共重合体、天然ゴム、チオコールゴム、多硫化ゴム、アクリルゴム、シリコーンゴム、ポリウレタンゴム、ポリエーテルゴム、エピクロロヒドリンゴム、及びエポキシ基、不飽和有機酸基、又はグリシジル基の変性基を含有しているこれらのエラストマーからなる群から選択される少なくとも一つのエラストマーであることを特徴とする請求項１０記載の脂肪族ポリエステル組成物。
【請求項１２】
自動車部品の成形に用いることを特徴とする請求項１〜１１のうちのいずれか一項に記載の脂肪族ポリエステル組成物。
【請求項１３】
請求項１〜１１のうちのいずれか一項に記載の脂肪族ポリエステル組成物を溶融成形して結晶化せしめたものであることを特徴とする成形体。
【請求項１４】
前記低分子量脂肪族ポリエステル及び前記高分子量脂肪族ポリエステルが、ポリ乳酸、ポリグリコール酸、ポリ（３−ヒドロキシ酪酸）、ポリ（４−ヒドロキシ酪酸）、ポリ（４−ヒドロキシ吉草酸）、ポリエステルカーボネート、ポリエチレンサクシネート、ポリブチレンサクシネート、ポリヘキサメチレンサクシネート、ポリエチレンアジペート、ポリブチレンアジペート、ポリヘキサメチレンアジペート、ポリエチレンオキサレート、ポリブチレンオキサレート、ポリヘキサメチレンオキサレート、ポリエチレンセバケート、ポリブチレンセバケート及びこれらの混合物からなる群より選択される少なくとも一つのポリエステルであることを特徴とする請求項１３記載の成形体。
【請求項１５】
自動車部品に用いることを特徴とする請求項１３又は１４記載の成形体。
【手続補正２】
【補正対象書類名】明細書
【補正対象項目名】０００９
【補正方法】変更
【補正の内容】
【０００９】
すなわち、本発明の脂肪族ポリエステル組成物は、重量平均分子量が５０００〜３５０００である低分子量脂肪族ポリエステルと、重量平均分子量が１２００００〜１００００００である高分子量脂肪族ポリエステルと、含有量０．００１〜１０重量％である結晶化促進剤とを含有し、且つ、前記低分子量脂肪族ポリエステルと前記高分子量脂肪族ポリエステルとの配合比率（重量比）が１０：９０〜９０：１０であることを特徴とするものである。
さらに、本発明の脂肪族ポリエステル組成物は自動車部品の成形に用いられることが好ましい。
【手続補正３】
【補正対象書類名】明細書
【補正対象項目名】００１０
【補正方法】変更
【補正の内容】
【００１０】
また、本発明の成形体は、重量平均分子量が５０００〜３５０００である低分子量脂肪族ポリエステルと、重量平均分子量が１２００００〜１００００００である高分子量脂肪族ポリエステルと、含有量０．００１〜１０重量％である結晶化促進剤とを含有し、且つ、前記低分子量脂肪族ポリエステルと前記高分子量脂肪族ポリエステルとの配合比率（重量比）が１０：９０〜９０：１０である脂肪族ポリエステル組成物を溶融成形して結晶化せしめたものであることを特徴とするものである。
さらに、本発明の成形体においては、前記低分子量脂肪族ポリエステル及び前記高分子量脂肪族ポリエステルが、ポリ乳酸、ポリグリコール酸、ポリ（３−ヒドロキシ酪酸）、ポリ（４−ヒドロキシ酪酸）、ポリ（４−ヒドロキシ吉草酸）、ポリエステルカーボネート、ポリエチレンサクシネート、ポリブチレンサクシネート、ポリヘキサメチレンサクシネート、ポリエチレンアジペート、ポリブチレンアジペート、ポリヘキサメチレンアジペート、ポリエチレンオキサレート、ポリブチレンオキサレート、ポリヘキサメチレンオキサレート、ポリエチレンセバケート、ポリブチレンセバケート及びこれらの混合物からなる群より選択される少なくとも一つのポリエステルであることが好ましい。
また、本発明の成形体は自動車部品に用いられることが好ましい。
【手続補正４】
【補正対象書類名】明細書
【補正対象項目名】００１１
【補正方法】変更
【補正の内容】
【００１１】
さらに、上記発明においては、前記高分子量脂肪族ポリエステルの重量平均分子量が２０００００〜８０００００であることがより好ましい。
なお、ここでいう重量平均分子量とは、溶媒としてクロロホルムを用いたゲルパーミエーションクロマトグラフィー（ＧＰＣ）測定による標準ポリスチレン換算で測定した重量平均分子量の値である。
【手続補正５】
【補正対象書類名】明細書
【補正対象項目名】００１２
【補正方法】変更
【補正の内容】
【００１２】
上記本発明においては、前記低分子量脂肪族ポリエステルと前記高分子量脂肪族ポリエステルとの配合比率（重量比）が２０：８０〜８０：２０であることが好ましい。
【手続補正６】
【補正対象書類名】明細書
【補正対象項目名】００１３
【補正方法】変更
【補正の内容】
【００１３】
また、本発明においては、前記結晶化促進剤が
(i)アミド基を有する低分子化合物、有機オニウム塩で有機化された層状粘土鉱物、タルク、有機酸金属塩、カルボン酸金属塩、リン酸金属塩、ホスホン酸金属塩及びスルホン酸金属塩からなる群から選択される少なくとも一つの化合物であること、
(ii)脂肪族カルボン酸アミド、芳香族カルボン酸アミド、ヒドロキシアミドからなる群から選択される少なくとも一つの化合物であること、又は、
(iii)オキサミド誘導体、イソシアヌル酸誘導体、芳香族尿素化合物、二塩基酸ビス（安息香酸ヒドラジド）化合物からなる群から選択される少なくとも一つの化合物であることが好ましい。
【手続補正７】
【補正対象書類名】明細書
【補正対象項目名】００１４
【補正方法】変更
【補正の内容】
【００１４】
また、上記本発明においては、
(i)前記低分子量脂肪族ポリエステルが低分子量ポリＤ乳酸であり、且つ、前記高分子量脂肪族ポリエステルが高分子量ポリＬ乳酸であること、或いは、
(ii)前記低分子量脂肪族ポリエステルが低分子量ポリＬ乳酸であり、且つ、前記高分子量脂肪族ポリエステルが高分子量ポリＤ乳酸であること、
が好ましい。また、前記ポリＬ乳酸及びポリＤ乳酸の含有量が光学純度８５ｍｏｌ％以上であることがより好ましい。
【手続補正８】
【補正対象書類名】明細書
【補正対象項目名】００１５
【補正方法】変更
【補正の内容】
【００１５】
さらに、前記脂肪族ポリエステル組成物にエラストマーが更に含有されていることが好ましい。また、前記エラストマーが脂肪族ポリエステルエラストマー、ポリオレフィン系エラストマー、アクリル系エラストマー、エチレン−グリシジル（メタ）アクリレート共重合体、エチレン−アクリル酸アルキルエステル共重合体、酸変性エチレン−プロピレン共重合体、ジエンゴム、ジエンとビニル単量体との共重合体、ポリイソブチレン、イソブチレンとブタジエン又はイソプレンとの共重合体、天然ゴム、チオコールゴム、多硫化ゴム、アクリルゴム、シリコーンゴム、ポリウレタンゴム、ポリエーテルゴム、エピクロロヒドリンゴム、またはエポキシ基、不飽和有機酸基、グリシジル基等の変性基を含有しているこれらのエラストマーからなる群から選択される少なくとも一つのエラストマーであることがより好ましい。